(57)【要約】【課題】給電側から供給される電波を一つのスイッチ分の損失だけで複数の導波路に分配する電波分配スイッチを提供する。【解決手段】各サブセクタアンテナ１０４内の各々の導波路における、給電口からの電波の入り口に設けられているスイッチ２０が、導体棒１２と、該導体棒１２と上記導波路の導体壁との接合部を中心として設けられた円環スロットと、該円環スロットに装荷される、電気的に逆直列になるように接続された一対のバラクタダイオードと、該一対のバラクタダイオードに対して電圧を印加する電圧印加手段とを備える。電圧印加手段が上記一対のバラクタダイオードに対して印加する電圧の値を制御することによって、各スイッチ２０が設けられた導波路への電波の伝搬を制御する。【選択図】図１
2008236578.tif 000002
【特許請求の範囲】
【請求項１】
給電側から伝搬する電波を複数の導波路に分配する電波分配スイッチであって、
前記給電側からの電波の伝搬に対して並列状態となるように配置された各々の導波路における前記給電側から伝搬する電波の入り口に、導波路を形成する２つの対向する導体壁を橋渡しするように設けられる導体棒と、
前記導体棒と前記導体壁との一つの接合部を中心として該導体壁に設けられた円環状のスロットと、
前記円環状のスロットに装荷される、電気的に逆直列になるように接続された一対のバラクタダイオードと、
該一対のバラクタダイオードに対して電圧を印加する電圧印加手段とからなる
ことを特徴とする電波分配スイッチ。
【請求項２】
給電側から伝搬する電波を複数の導波路に分配する電波分配スイッチであって、
前記給電側からの電波の伝搬に対して並列状態となるように配置された各々の導波路における前記給電側から伝搬する電波の入り口に、導波路を形成する２つの対向する導体壁を橋渡しするように設けられる導体棒と、
前記導体棒と前記導体壁との２つの接合部のそれぞれを中心として該導体壁に設けられた円環状のスロットと、
前記円環状のスロットの各々に装荷されるバラクタダイオードであって、一方の円環状のスロットに装荷されたバラクタダイオードと他方の円環状のスロットに装荷されたバラクタダイオードとが電気的に逆直列になるようなバラクタダイオードと、
該バラクタダイオードに対して電圧を印加する電圧印加手段とからなる
ことを特徴とする電波分配スイッチ。
【請求項３】
給電側から伝搬する電波を複数の導波路に分配する電波分配スイッチであって、
前記給電側からの電波の伝搬に対して並列状態となるように配置された各々の導波路における電波の入り口に、導波路を形成する２つの対向する導体壁を橋渡しするように設けられる導体棒と、
前記導体棒と前記導体壁との一つの接合部を中心として該導体壁に設けられた円環状のスロットと、
前記円環状のスロットに装荷されるＲＦスイッチと、
前記ＲＦスイッチに電圧を印加する電圧印加手段とからなる
ことを特徴とする電波分配スイッチ。
【請求項４】
給電側から伝搬する電波を複数の導波路に分配する電波分配スイッチであって、
前記給電側からの電波を伝搬する主要な導波路から分岐する複数の分岐導波路における、該主要な導波路からの電波の分岐箇所に、導波路を形成する２つの対向する導体壁を橋渡しするように設けられる導体棒と、
前記導体棒と前記導体壁との一つの接合部を中心として該導体壁に設けられた円環状のスロットと、
前記円環状のスロットに装荷される、電気的に逆直列になるように接続された一対のバラクタダイオードと、
該一対のバラクタダイオードに対して電圧を印加する電圧印加手段とからなる
ことを特徴とする電波分配スイッチ。
【請求項５】
給電側から伝搬する電波を複数の導波路に分配する電波分配スイッチであって、
前記給電側からの電波を伝搬する主要な導波路から分岐する複数の分岐導波路における、該主要な導波路からの電波の分岐箇所に、導波路を形成する２つの対向する導体壁を橋渡しするように設けられる導体棒と、
前記導体棒と前記導体壁との２つの接合部のそれぞれを中心として該導体壁に設けられた円環状のスロットと、
前記円環状のスロットの各々に装荷されるバラクタダイオードであって、一方の円環状のスロットに装荷されたバラクタダイオードと他方の円環状のスロットに装荷されたバラクタダイオードとが電気的に逆直列になるようなバラクタダイオードと、
該バラクタダイオードに対して電圧を印加する電圧印加手段とからなる
ことを特徴とする電波分配スイッチ。
【請求項６】
給電側から伝搬する電波を複数の導波路に分配する電波分配スイッチであって、
前記給電側からの電波を伝搬する主要な導波路から分岐する複数の分岐導波路における、該主要な導波路からの電波の分岐箇所に、導波路を形成する２つの対向する導体壁を橋渡しするように設けられる導体棒と、
前記導体棒と前記導体壁との一つの接合部を中心として該導体壁に設けられた円環状のスロットと、
前記円環状のスロットに装荷されるＲＦスイッチと、
前記ＲＦスイッチに対して電圧を印加する電圧印加手段とからなる
ことを特徴とする電波分配スイッチ。
【請求項７】
給電側から伝搬する電波を複数の導波路に分配する電波分配スイッチであって、
各々の導波路の間に設けられた、電波が伝搬可能な開口部に設置され、
電気的に逆直列になるように装荷された複数対のバラクタダイオードと、
該複数対のバラクタダイオードに対して電圧を印加する電圧印加手段とからなる
ことを特徴とする電波分配スイッチ。
【請求項８】
給電側から伝搬する電波を複数の導波路に分配する電波分配スイッチであって、
各々の導波路の間に設けられた、電波が伝搬可能な開口部に設置されたＲＦスイッチと、
前記ＲＦスイッチに対して電圧を印加する電圧印加手段とからなる
ことを特徴とする電波分配スイッチ。
【発明の詳細な説明】
【技術分野】
【０００１】
本発明は、電波分配スイッチに関し、特に、給電側から供給される電波を一つのスイッチ分の損失だけで複数の導波路に分配する電波分配スイッチに関する。
【背景技術】
【０００２】
電波の伝搬を制御する従来技術として、例えば、図９に示すような、複数のサブアレー１００からなるセクタアンテナ１０において、給電側から給電される電波をＲＦスイッチ（２分岐スイッチ）１０１のＯＮ又はＯＦＦによって切り替えて、各サブアレー１００に通じる給電線１０２への電波伝搬を制御する技術がある。図中に示す各サブアレー１００は、上面及び底面が導体（プリント基板）、内部が誘電体の平行平板導波路を構成しており、給電線１０２を通じて供給された電波は、該平行平板導波路を伝搬して、各サブアレー１００に設けられたスロット１０３から放射される。
【０００３】
なお、従来の電波伝搬を制御する具体的技術として、下記の特許文献１に、給電導波管内に形成された不連続体で生じた高次伝搬モードの電波を、不連続部の導波管長手方向前後の広壁面に形成された放出スロットにより放出する導波管スロットアンテナ装置に関して記載されている。
【特許文献１】特開２００６−５５９８号公報
【発明の開示】
【発明が解決しようとする課題】
【０００４】
しかし、給電側から給電される電波をＲＦスイッチ１０１のＯＮ又はＯＦＦによって各サブアレー１００に通じる給電線１０２への電波伝搬を制御する上記従来技術では、例えば図９に示すように、８個のサブアレー１００の各々に対する電波を制御するために３段に配置されたＲＦスイッチ１０１を用いる必要があり、損失が段数に応じて大きくなるという問題がある。
【０００５】
本発明は、給電側から供給される電波を一つのスイッチ分の損失だけで複数の導波路に分配する電波分配スイッチの提供を目的とする。
【課題を解決するための手段】
【０００６】
本発明の電波分配スイッチは、給電側から伝搬する電波を複数の導波路に分配する電波分配スイッチであって、前記給電側からの電波の伝搬に対して並列状態となるように配置された各々の導波路における前記給電側から伝搬する電波の入り口に、導波路を形成する２つの対向する導体壁を橋渡しするように設けられる導体棒と、前記導体棒と前記導体壁との一つの接合部を中心として該導体壁に設けられた円環状のスロットと、前記円環状のスロットに装荷される、電気的に逆直列になるように接続された一対のバラクタダイオードと、該一対のバラクタダイオードに対して電圧を印加する電圧印加手段とからなる。
【０００７】
また、本発明の電波分配スイッチは、給電側から伝搬する電波を複数の導波路に分配する電波分配スイッチであって、前記給電側からの電波の伝搬に対して並列状態となるように配置された各々の導波路における前記給電側から伝搬する電波の入り口に、導波路を形成する２つの対向する導体壁を橋渡しするように設けられる導体棒と、前記導体棒と前記導体壁との２つの接合部のそれぞれを中心として該導体壁に設けられた円環状のスロットと、前記円環状のスロットの各々に装荷されるバラクタダイオードであって、一方の円環状のスロットに装荷されたバラクタダイオードと他方の円環状のスロットに装荷されたバラクタダイオードとが電気的に逆直列になるようなバラクタダイオードと、該バラクタダイオードに対して電圧を印加する電圧印加手段とからなる。
【０００８】
また、本発明の電波分配スイッチは、給電側から伝搬する電波を複数の導波路に分配する電波分配スイッチであって、前記給電側からの電波の伝搬に対して並列状態となるように配置された各々の導波路における電波の入り口に、導波路を形成する２つの対向する導体壁を橋渡しするように設けられる導体棒と、前記導体棒と前記導体壁との一つの接合部を中心として該導体壁に設けられた円環状のスロットと、前記円環状のスロットに装荷されるＲＦスイッチと、前記ＲＦスイッチに電圧を印加する電圧印加手段とからなる。
【０００９】
また、本発明の電波分配スイッチは、給電側から伝搬する電波を複数の導波路に分配する電波分配スイッチであって、前記給電側からの電波を伝搬する主要な導波路から分岐する複数の分岐導波路における、該主要な導波路からの電波の分岐箇所に、導波路を形成する２つの対向する導体壁を橋渡しするように設けられる導体棒と、前記導体棒と前記導体壁との一つの接合部を中心として該導体壁に設けられた円環状のスロットと、前記円環状のスロットに装荷される、電気的に逆直列になるように接続された一対のバラクタダイオードと、該一対のバラクタダイオードに対して電圧を印加する電圧印加手段とからなる。
【００１０】
また、本発明の電波分配スイッチは、給電側から伝搬する電波を複数の導波路に分配する電波分配スイッチであって、前記給電側からの電波を伝搬する主要な導波路から分岐する複数の分岐導波路における、該主要な導波路からの電波の分岐箇所に、導波路を形成する２つの対向する導体壁を橋渡しするように設けられる導体棒と、前記導体棒と前記導体壁との２つの接合部のそれぞれを中心として該導体壁に設けられた円環状のスロットと、前記円環状のスロットの各々に装荷されるバラクタダイオードであって、一方の円環状のスロットに装荷されたバラクタダイオードと他方の円環状のスロットに装荷されたバラクタダイオードとが電気的に逆直列になるようなバラクタダイオードと、該バラクタダイオードに対して電圧を印加する電圧印加手段とからなる。
【００１１】
また、本発明の電波分配スイッチは、給電側から伝搬する電波を複数の導波路に分配する電波分配スイッチであって、前記給電側からの電波を伝搬する主要な導波路から分岐する複数の分岐導波路における、該主要な導波路からの電波の分岐箇所に、導波路を形成する２つの対向する導体壁を橋渡しするように設けられる導体棒と、前記導体棒と前記導体壁との一つの接合部を中心として該導体壁に設けられた円環状のスロットと、前記円環状のスロットに装荷されるＲＦスイッチと、前記ＲＦスイッチに対して電圧を印加する電圧印加手段とからなる。
【００１２】
また、本発明の電波分配スイッチは、給電側から伝搬する電波を複数の導波路に分配する電波分配スイッチであって、各々の導波路の間に設けられた、電波が伝搬可能な開口部に設置され、電気的に逆直列になるように装荷された複数対のバラクタダイオードと、該複数対のバラクタダイオードに対して電圧を印加する電圧印加手段とからなる。
【００１３】
また、本発明の電波分配スイッチは、給電側から伝搬する電波を複数の導波路に分配する電波分配スイッチであって、各々の導波路の間に設けられた、電波が伝搬可能な開口部に設置されたＲＦスイッチと、前記ＲＦスイッチに対して電圧を印加する電圧印加手段とからなる。
【発明の効果】
【００１４】
本発明によれば、給電側から伝搬する電波の複数の導波路への分配を、一つのスイッチに対する電圧印加を通じて制御することが可能となる。分配される電波は一つのスイッチだけを通過するので、電波の分配数によらず、一つのスイッチ分の損失で電波を分配することが可能となる。
【発明を実施するための最良の形態】
【００１５】
以下に、図を用いて、本発明の実施の形態について説明する。図１（Ａ）、（Ｂ）は、本発明の第１の実施の形態に係る構成の一例を示す図である。ここでは、セクタアンテナを構成する８個のサブセクタアンテナ１０４の各々に対する電波の分配の制御を例にとって説明する。図１（Ａ）はセクタアンテナの上面図、図１（Ｂ）はセクタアンテナの断面図である。
【００１６】
図１中、点Ｏは給電口である。各サブセクタアンテナ１０４は、上面及び底面に設けられた導体壁６０、６１と誘電体部１４とからなる誘電体基板と、該誘電体基板内に所定の間隔で設けられた導体棒１２と、給電口からの電波を放射するスロット２００と、スイッチ２０とから構成される。図１（Ａ）中に示す点線で囲った２列の導体棒列で囲まれた部分の誘電体基板が、平行平板の導波路を形成し、該２列の導体棒列は、該平行平板の導波路の壁（導体壁）としての機能を果たす。本発明の実施の形態において、導体棒１２は、中空のスルーホールの内面に金属を塗った構造を有する導体のスルーホール（導体ビア）でもよい。
【００１７】
図１（Ａ）に示すように、各々の平行平板の導波路は、給電口である点Ｏからの電波の伝搬に対して並列状態となるように、点Ｏを中心として放射状に配置されている。また、スイッチ２０は、各々の導波路における給電口（給電側）から伝搬する電波の入り口に設けられている。スイッチ２０は、給電側から伝搬する電波を複数の導波路（平行平板導波路）に分配する電波分配スイッチである。
【００１８】
図２は、図１（Ａ）に示すスイッチの近傍の平行平板の導波路の部分拡大図である。図１（Ａ）を参照して前述したスイッチ２０は、平行平板導波路を形成する２つの対向する導体壁６０、６１を橋渡しするように設けられている導体棒１２と、該導体棒１２と導体壁６０との接合部を中心として、円環状のスロット（円環スロット）２０１が該導体壁６０に設けられている。また、該円環スロット２０１に、電気的に逆直列になるように接続された一対のバラクタダイオード２０２が装荷されている。なお、２０３は電源、２０４は抵抗、２０５は配線であり、電源２０３、抵抗２０４、配線２０５が、電圧印加手段を構成する。上記一対のバラクタダイオード２０２を構成する各々のバラクタダイオードの一端は、それぞれ導体壁６０に接続している。
【００１９】
電圧印加手段は、上記一対のバラクタダイオード２０２に対して直流の逆バイアス電圧を印加できる。例えば、バラクタダイオード２０２に電圧を印加しない状態の時は、バラクタダイオード２０２のリアクタンス値の絶対値が小さく、バラクタダイオード２０２が装荷された導体棒１２が、平行平板の導波路の導体壁としての機能を果たす。すなわち、該バラクタダイオード２０２を備えるスイッチ２０が「閉」状態となって、該「閉」状態となったスイッチ２０が設けられた平行平板の導波路への、図１（Ａ）中に示す給電口（点Ｏ）からの電波の伝搬が遮断される。
【００２０】
印加する電圧の値が大きくなるに従って該バラクタダイオード２０２のリアクタンス値の絶対値が大きくなる。従ってバラクタダイオード２０２のリアクタンス値の絶対値が大きい時は、バラクタダイオード２０２が装荷された導体棒１２の平行平板の導波路の導体壁としての機能が十分発揮されない。すなわち、該バラクタダイオード２０２を備えるスイッチ２０が「開」状態となって、該「開」状態となったスイッチ２０が設けられた平行平板の導波路へ上記給電口（点Ｏ）からの電波が伝搬する。従って、例えば、バラクタダイオード２０２に印加する電圧をＯＮ又はＯＦＦにして、図１（Ａ）中に示す各スイッチ２０を「開」状態又は「閉」状態にすることによって、各スイッチ２０が設けられた平行平板の導波路へ電波を伝搬させたり、伝搬させなかったりすることができる。その結果、例えば、図１（Ａ）中に示すように、２個のスイッチ２０を「開」状態にして、該２個のスイッチ２０の各々が設けられた平行平板の導波路へ電波を伝搬させ、６個のスイッチ２０を「閉」状態にして、該６個のスイッチ２０の各々が設けられた平行平板の導波路への電波の伝搬を遮断することが可能となる。すなわち、スイッチ２０は、開閉によって電波を伝搬させたり、伝搬させなかったりする窓のような機能を果たす。なお、バラクタダイオード２０２に印加する電圧は、逆バイアスで利用するため、低消費電力である。
【００２１】
本発明の一実施形態によれば、バラクタダイオード２０２に印加する電圧の値を制御して、各スイッチ２０が設けられた平行平板の導波路へ伝搬する電波の分配を制御する。当該本発明の一実施形態によれば、スイッチ２０を「開」状態又は「閉」状態にするという２値制御のみならず、各スイッチ２０が設けられた平行平板の導波路へ伝搬する電波の分配（透過率）を制御することが可能となる。
【００２２】
本発明の一実施形態によれば、スイッチ２０が、図３に示すような、平行平板導波路を形成する２つの対向する導体壁６０、６１を橋渡しするように設けられる導体棒１２と、該導体棒１２と導体壁６０、６１との接合部のそれぞれを中心として導体壁６０、６１に設けられた２つの円環状のスロット２０１、２０１’と、上記円環状のスロット２０１、２０１’の各々に装荷されるバラクタダイオードであって、一方の円環状のスロットに装荷されたバラクタダイオードと他方の円環状のスロットに装荷されたバラクタダイオードとが電気的に逆直列になるようなバラクタダイオード２０２、２０２’と、該バラクタダイオード２０２、２０２’に対して電圧を印加する電圧印加手段（電源２０３、抵抗２０４、配線２０５）とを備える構成を採ってもよい。
【００２３】
スイッチ２０が図３に示すような構成を採ることによって、導体棒１２と導体壁との一つの接合部を中心として設けられた円環スロットに一対のバラクタダイオード２０２を設ける場合と比べて、必要となるバラクタダイオード２０２の装荷スペースを小さくすることができ、該装荷スペースを容易に確保することが可能となる。
【００２４】
本発明によれば、図１に示すスイッチ２０が備えるバラクタダイオード２０２に印加する電圧を制御することによって、図９を参照して前述した従来技術のように複数個のサブアレー１００の各々に対する電波を制御するために複数段に配置されたＲＦスイッチ１０１を用いることなく、給電口から各導波路への電波の伝搬を１段で制御することが可能となる。その結果、給電側から供給される電波を簡易な構成で損失を抑えつつ複数の導波路に分配することが可能となる。
【００２５】
本発明の一実施形態によれば、前述した図１（Ａ）に示すスイッチ２０が、図２を参照して前述した構成に代えて、例えば、図２中に示すバラクタダイオード２０２の代わりにＲＦスイッチが円環スロット２０１に装荷された構成を採るようにしてもよい。このような構成を採るスイッチ２０は、平行平板導波路を形成する２つの対向する導体壁６０、６１を橋渡しするように設けられる導体棒１２と、上記導体棒１２と上記導体壁６０との接合部を中心として該導体壁に設けられた円環スロット２０１と、円環スロット２０１に装荷されるＲＦスイッチと、該ＲＦスイッチに対して電圧を印加する電圧印加手段とからなる。
【００２６】
そして、電圧印加手段から上記ＲＦスイッチに対して印加される電圧を制御することによって、スイッチ２０が設けられた各々の導波路の電波の伝搬をオンオフ制御して、該電波を伝搬させたり、伝搬させなかったりする。
【００２７】
図４は、本発明の第２の実施の形態に係る構成の一例を示す図である。図４（Ａ）は、誘電体基板内に所定の間隔で設けられた導体棒１２の列（導体棒列）によって形成される複数の導波路を上から見た図であり、図４（Ｂ）は、図４（Ａ）に示す導波路のＡＡ線断面図である。図４（Ａ）に示す３０は、給電側からの電波を伝搬する主要な導波路である主要導波路、３１−１〜３１−５は、主要導波路３０から分岐する分岐導波路である。図４（Ａ）に示すように、スイッチ２０が、各分岐導波路における主要導波路３０からの電波の分岐箇所に、該主要導波路３０内の電波の伝搬に対して直列的に設けられている。スイッチ２０は、図２を参照して前述した構成又は図３を参照して前述した構成を有する。すなわち、各スイッチ２０は、例えば、前述した図２に示すように、導体棒１２と導体壁６０との接合部を中心として導体壁６０に設けられた円環スロット２０１と、該円環スロット２０１に装荷された、電気的に逆直列になるように接続された一対のバラクタダイオード２０２とを備える。また、各スイッチ２０は、例えば、前述した図３に示すように、該導体棒１２と導体壁６０、６１との接合部のそれぞれを中心として導体壁６０、６１に設けられた２つの円環状のスロット２０１、２０１’と、上記円環状のスロット２０１、２０１’の各々に装荷されるバラクタダイオードであって、一方の円環状のスロットに装荷されたバラクタダイオードと他方の円環状のスロットに装荷されたバラクタダイオードとが電気的に逆直列になるようなバラクタダイオード２０２、２０２’とを備える。ここでは、スイッチ２０が図２を参照して前述した構成を採る場合を例にとって説明する。
【００２８】
本発明の第２の実施の形態では、例えば図４（Ａ）中に示すスイッチ２０が備えるバラクタダイオード２０２に対して印加する電圧を制御する。バラクタダイオード２０２に対して印加される電圧の大きさによって、該バラクタダイオード２０２のリアクタンスの大きさを制御し、主要導波路３０から各分岐導波路に分岐する電波の分配（透過率）や位相を制御する。図５に示す矢印は、主要導波路３０から各分岐導波路に分岐する電波の分配を示している。各矢印の横幅の大きさが、伝搬する電波の量（振幅の大きさ）を示している。
【００２９】
本発明の一実施形態によれば、上記一対のバラクタダイオード２０２に対して印加する電圧をオンオフ制御して、ある分岐導波路には主要導波路３０からの電波を分岐させ、他の分岐導波路には主要導波路３０からの電波を分岐させないように制御するようにしてもよい。
【００３０】
また、本発明の一実施形態によれば、図４（Ａ）中に示すスイッチ２０が、図２を参照して前述した構成に代えて、例えば、図２中に示すバラクタダイオード２０２の代わりにＲＦスイッチが円環スロット２０１に装荷された構成を採るようにしてもよい。このような構成を採るスイッチ２０が備えるＲＦスイッチに対して印加される電圧を制御することによって、ある分岐導波路には主要導波路３０からの電波を分岐させ、他の分岐導波路には主要導波路３０からの電波を分岐させないように制御するようにしてもよい。
【００３１】
図４（Ａ）中に示すスイッチ２０が備えるバラクタダイオード２０２への電圧の印加手法として、例えば図６に示すように、１個の電源２０３から複数のバラクタダイオード２０２に電圧を印加するようにしてもよい。１個の電源２０３から複数のバラクタダイオード２０２に電圧を印加するようにすれば、１個の電源２０３で複数のスイッチ２０を制御することができる。
【００３２】
図７は、本発明の第３の実施の形態に係る構成の一例を示す図である。図７（Ａ）は、導体板４３を共有する平行平板導波路４０、４１を横から見た図である。また、図７（Ｂ）は、図７（Ａ）に示す平行平板導波路のＢＢ線断面図である。図７（Ｂ）中の斜線部は導体部分である。この例では、初期状態において、給電側から伝搬する電波は平行平板導波路４０に供給されるものとする。
【００３３】
図７（Ａ）、（Ｂ）に示すように、平行平板導波路４０と平行平板導波路４１との間に設けられた（又は双方の平行平板導波路が共有する）導体板４３に、電波が伝搬可能な開口部４２が設けられており、該開口部４２に、逆直列に接続された４対のバラクタダイオード２０２と、該４対のバラクタダイオード２０２に対して電圧を印加する電圧印加手段とからなるスイッチが設けられている。上記電圧印加手段は、電源２０３と抵抗２０４と配線２０５とからなる。すなわち、当該スイッチは、給電側から伝搬する電波を複数の導波路に分配する電波分配スイッチであって、各々の導波路（平行平板導波路４０、４１）の間に設けられた、電波が伝搬可能な開口部４２に設置され、電気的に逆直列になるように装荷された複数対のバラクタダイオード２０２と、該複数対のバラクタダイオード２０２に対して電圧を印加する電圧印加手段とからなる。
【００３４】
当該スイッチの電圧印加手段が、上記４対のバラクタダイオード２０２に対して電圧を印加することによって、該バラクタダイオード２０２のリアクタンスの大きさを制御して、開口部４２を通じて平行平板導波路４０から平行平板導波路４１に伝搬する電波の分配を制御する。もちろん、本発明においては、スイッチが備えるバラクタダイオード２０２の対は４対に限定されず、スイッチが任意の複数対のバラクタダイオード２０２を備える構成を採ってもよい。
【００３５】
図８は、本発明の第３の実施の形態における導波路への電波の分配の制御を説明する図である。図７を参照して前述したスイッチが備えるバラクタダイオード２０２の対に対して電圧が印加されない状態では、バラクタダイオード２０２が設けられた回路部分が短絡状態となるため、スイッチが「閉」状態となる。その結果、例えば図８（Ａ）中の矢印に示すように、給電側からの電波は、平行平板導波路４０を伝搬し、平行平板導波路４１には電波が伝搬しない。スイッチを構成するバラクタダイオード２０２の対に対して電圧が印加されると、バラクタダイオード２０２のリアクタンス値の絶対値が大きくなり、スイッチが「開」状態となる。その結果、例えば図８（Ｂ）中の矢印に示すように、平行平板導波路４０を伝搬する給電側からの電波は、開口部４２を通じて平行平板導波路４１に伝搬する。
【００３６】
本発明の一実施形態によれば、図７を参照して前述したスイッチが、図７を参照して前述した構成に代えて、例えば、図７中に示す複数対のバラクタダイオード２０２の代わりにＲＦスイッチが開口部４２に設置された構成を採るようにしてもよい。このような構成を採るスイッチが備えるＲＦスイッチに対して印加される電圧を制御することによって、開口部４２を通じて平行平板導波路４０から平行平板導波路４１に伝搬する電波の分配を制御するようにしてもよい。
【図面の簡単な説明】
【００３７】
【図１】本発明の第１の実施の形態に係る構成の一例を示す図である。
【図２】スイッチの近傍の平行平板の導波路の部分拡大図である。
【図３】スイッチの他の構成例を示す図である。
【図４】本発明の第２の実施の形態に係る構成の一例を示す図である。
【図５】各分岐導波路に分岐する電波の分配を示す図である。
【図６】スイッチが備えるバラクタダイオードへの電圧の印加手法の他の例を示す図である。
【図７】本発明の第３の実施の形態に係る構成の一例を示す図である。
【図８】本発明の第３の実施の形態における導波路への電波の分配の制御を説明する図である。
【図９】従来技術を示す図である。
【符号の説明】
【００３８】
１０  セクタアンテナ
１２  導体棒
１４  誘電体部
２０  スイッチ
３０  主要導波路
３１−１、３１−２、３１−３、３１−４、３１−５  分岐導波路
４０、４１  平行平板導波路
４２  開口部
４３  導体板
６０、６１  導体壁
１００  サブアレー
１０１  ＲＦスイッチ
１０２  給電線
１０３、２００  スロット
１０４  サブセクタアンテナ
２０１、２０１’  円環スロット
２０２、２０２’  バラクタダイオード
２０３  電源
２０４  抵抗
２０５  配線
【図１】
2008236578.tif 000003
【図２】
2008236578.tif 000004
【図３】
2008236578.tif 000005
【図４】
2008236578.tif 000006
【図５】
2008236578.tif 000007
【図６】
2008236578.tif 000008
【図７】
2008236578.tif 000009
【図８】
2008236578.tif 000010
【図９】
2008236578.tif 000011